(57)【要約】【課題】ＰＣＭＣＩＡインターフェースカードのコンネクターを提供する。【解決手段】ＰＣＭＣＩＡインターフェースカードのコンネクターの組成は絶縁のゴム芯部１及びアースプレート２から形成される。絶縁のゴム芯部１はターミナルブロックである。ブロックには複数排列状の端子１１を設置する。絶縁のゴム芯部１の端面部の両側にそれぞれ止め肋薄片１２を具有する。また、両側のピンポスト１３にそれぞれ排列状の端子１１との同一方向の挿入孔１４を配置する。アースプレート２は複数接点部２１を持つプレートである。アースプレート２の両側における挿入ピン２２はそれぞれ一つ又は一つ以上の逆様なフックプレート２２１がある。前掲の絶縁のゴム芯部１の挿入孔１４と対応するようにマッチする。【選択図】　図３
0003097709.tif 000002
【実用新案登録請求の範囲】
【請求項１】
ＰＣＭＣＩＡインターフェースカードのコネクターにおいて、
絶縁のゴム芯部（１）及びアースプレート（２）を備え、
絶縁のゴム芯部はターミナルブロックであり、ブロックには複数配列状の端子を設置し、絶縁のゴム芯部（１）の端面部の両側にそれぞれ止め肋薄片を具有し、両側のピンポストともそれぞれ挿入孔を配置し、
アースプレートは複数接点部を持つプレートであり、アースプレートの両側における挿入ピン（２２）はそれぞれ一つ又は一つ以上の逆様なフックプレートがあり、前掲の絶縁のゴム芯部の挿入孔と対応するようにマッチしており、
アースプレートの両側における挿入ピンは対応するように絶縁のゴム芯部の両側に設けた挿入孔に挿入され、逆様なフックプレートと挿入孔とが密着して位置決めされて、アースプレート（２）が絶縁のゴム芯部（１）の止め肋薄片の間に錠止され、快速に二つコンポネットは安定かつ丈夫に結合されることを特徴とするＰＣＭＣＩＡインターフェースカードのコネクター。
【請求項２】
絶縁のゴム芯部の両側に設けた挿入孔は配列状の端子と同一方向を採用することを特徴とする請求項１記載のＰＣＭＣＩＡインターフェースカードのコネクター。
【考案の詳細な説明】
【０００１】
【考案の属する技術分野】
本案はＰＣＭＣＩＡインターフェースカードのコネクターの改良に関するものであり、主に、コネクターのアースプレートの両側における挿入ピンに、逆様なフック薄片を設ける。そうすると、ゴム芯部のピンポストの挿入孔に挿入するときに、安定かつ丈夫なように、緊密に結合できるので、コネクターを抜くときに、アースプレートの脱落の恐れを防ぐ。
【０００２】
【従来の技術】
従来から、既存のＰＣＭＣＩＡインターフェースカードは異なる機能、用途により、ネットワークカード、直列カード、ＳＣＳＩインターフェースカード又はほかの選定機能のインターフェースカードなどが挙げられる。その一端に、コネクターが接続される。コネクターを使用しているうちに、ノイズの干渉を避けるために、自身の絶縁ゴム芯（即ち、ターミナルブロック）の側端面に、複数の接点を持つアースプレートを付けなければならない。それで、ノイズをアースまで導き、除く。
【０００３】
【考案が解決しようとする課題】
前述のアースプレートとターミナルブロックとの結合について、従来から、既存のＰＣＭＣＩＡインターフェースカードのコネクターはただ、絶縁ゴム芯部の両側におけるピンポストに、それぞれ、浅い凹入状の嵌めこみ溝を成型して、アースプレートの両側のピンを直接に隣接のように、押して貼り付ける。でも、二つコンポネットの簡単に押し合わせることだけのせいで、ＰＣＭＣＩＡインターフェースカードの経常に抜いた後で、コネクターの抜き作用力により、アースプレートを抜き出すという脱落現象がいつも生じる。結局、正常のアースの効果を影響するばかりでなく、ひどいのになると、ＰＣＭＣＩＡインターフェースカードを損壊する。
【０００４】
したがって、本案の主な目的はＰＣＭＣＩＡインターフェースカードのコネクターの改良を提供することにある。主に、ＰＣＭＣＩＡインターフェースカードのコネクターのアースプレートと絶縁ゴム芯（即ち、ターミナルブロック）との組立結構を改善する。
【０００５】
【課題を解決するための手段】
それはただ、コネクターのアースプレートの両側における挿入ピンに、それぞれ一つ又は一つ以上の逆様なフック薄片を設ける。そうすると、ゴム芯部のピンポストの挿入孔に挿入するときに、安定かつ丈夫なように、緊密に結合できるので、コネクターを抜くときに、アースプレートの脱落の恐れを防ぐと共に、ＰＣＭＣＩＡインターフェースカードの正常使用機能も確保される。
【０００６】
【考案の実施の形態】
本案の目的、特徴および効果などをご了解なさるために、以下、さらに具体的な実施例に図面をあわせて詳しく説明する。
各図面に示すように、実施例のＰＣＭＣＩＡインターフェースカードのコネクターの改良設計は異なる機能、用途により、ネットワークカード、直列カード、ＳＣＳＩインターフェースカード又はほかの選定機能のインターフェースカードなどに応用できる。まずは図１を御覧下さい。それはただ、実施例の構造を無線ネットワークカード３に応用する案例の説明である。無線ネットワークカード３の一端に、コネクターがあるが、もう一端に、信号の発信、受信装置４がある。それで、無線の発信、受信の機能を提供する。無線ネットワークカード３を使用する場合に、コネクターをノートブックコンピュータの選定挿入スロットに挿入し、無線のように、インターネットにリンクする機能を提供する。勿論、実施例は図示の無線ネットワークカード３に制限されず、選定機能のインターフェースカードにも応用できる。
【０００７】
図２、図３を御覧下さい。それは実施例のＰＣＭＣＩＡインターフェースカードのコネクターの改良である。ＰＣＭＣＩＡインターフェースカードのコネクターの組成は絶縁のゴム芯部１及びアースプレート２から形成される。
絶縁のゴム芯部１はターミナルブロックである。ブロックには、複数配列状の端子１１を設置する。絶縁のゴム芯部１の端面部の両側に、それぞれ止め肋薄片１２を具有する。また、両側のピンポスト１３とも、それぞれ配列状の端子１１との同一方向の挿入孔１４を配置する。
【０００８】
アースプレート２は複数接点部２１を持つプレートである。アースプレート２の両側における挿入ピン２２はそれぞれ一つ又は一つ以上の逆様なフックプレート２２１がある。しかも、前掲の絶縁のゴム芯部１の挿入孔１４と対応するようにマッチする。
【０００９】
以上のコンポネットにより、アースプレート２の両側における挿入ピン２２が対応するように、絶縁のゴム芯部１の両側のピンポスト１３に設けた挿入孔１４に挿入する。逆様なフックプレート２２１と挿入孔１４との密着の位置決めを経由して、アースプレート２が絶縁のゴム芯部１の止め肋薄片１２の間に錠止するので、快速に、二つコンポネットを安定かつ丈夫なように結合する。その結果、コネクターを抜くときに、アースプレート２の脱落の恐れを防ぐと共に、ＰＣＭＣＩＡインターフェースカードの正常使用機能も確保され、立派なアース効果を保持して、ノイズの干渉を除く。
【００１０】
ちなみに、上述の絶縁ゴム芯部１の両側におけるピンポスト１３の階級部１３１には、挿入孔１４と垂直に会合するダイの抜け孔１３２を設置するので、絶縁ゴム芯部１を成型したあとで、金型がスムーズに抜かれて脱開できる。
上述実施例に掲示した“ＰＣＭＣＩＡインターフェースカードのコネクターの改良”は特にアースプレート２と絶縁のゴム芯部の結合を合理に改善し、有効的に、使用の場合にアースプレートを抜くときによく見る脱落現象を解決する。しかしながら、ＰＣＭＣＩＡインターフェースカードは無線のネットワークカードに制限されず、挙げられた実施例も本案の技術範疇を限定しないので、ほかの選定機能のインターフェースカードにも応用できる。
【００１１】
【考案の効果】
本案の主な目的はＰＣＭＣＩＡインターフェースカードのコネクターの改良を提供することにある。主に、ＰＣＭＣＩＡインターフェースカードのコネクターのアースプレートと絶縁ゴム芯部との組立結構を改善する。一方、コネクターのアースプレートの両側における挿入ピンに、それぞれ一つ又は一つ以上の逆様なフック薄片を設ける。また、絶縁ゴム芯部の両側のピンポストにも、対応する挿入孔を設置する。そうすると、ゴム芯部のピンポストの挿入孔に挿入するときに、逆様なフック薄片を経由し、安定かつ丈夫なように、緊密に結合できるので、使用の場合に、コネクターを経常に抜いても、アースプレートの脱落の恐れを防ぐと共に、ＰＣＭＣＩＡインターフェースカードの正常使用機能も確保され、立派なアース効果を保持する。
【図面の簡単な説明】
【図１】本考案の一実施例による本案の構造を無線ネットワークカードにアセンブリすることを示す概略図である。
【図２】本考案の一実施例によるＰＣＭＣＩＡインターフェースカードのコネクターの本アセンブリを示す立体図である。
【図３】本考案の一実施例によるＰＣＭＣＩＡインターフェースカードのコネクターを示す分解立体図である。
【図４】本考案の一実施例によるＰＣＭＣＩＡインターフェースカードのコネクターのアセンブリを示すの横断面図である。
【図５】図４のＡ−Ａラインに沿って見た断面図である。
【符号の説明】
１　　　絶縁のゴム芯部
２　　　アースプレート
３　　　無線ネットワークカード
４　　　信号の発信及び受信装置
１１　　　端子
１２　　　止め肋薄片
１３　　　ピンポスト
１４　　　挿入孔
２１　　　接点部
２２　　　挿入ピン
１３１　　　階級部
１３２　　　ダイの抜け孔
２２１　　　逆様なフックプレート
【図１】
0003097709.tif 000003
【図２】
0003097709.tif 000004
【図３】
0003097709.tif 000005
【図４】
0003097709.tif 000006
【図５】
0003097709.tif 000007